(57)【要約】【課題】解析処理の負荷を軽減しつつ、解析対象データから所望の解析結果を得ること。【解決手段】本発明の解析処理制御システム１００は、解析処理装置１１０による解析対象となる入力データに対する監視を行う人物の動作を検出し、当該検出した人物の動作に基づいて、入力データが人物による監視対象となっているか否かを判定する判定手段１０１と、入力データが人物による監視対象となっていると判定した場合に、当該入力データに対する解析処理装置１１０による解析処理の負荷を低減させるよう当該解析処理装置１１０による解析処理動作を制御する解析処理制御手段１０２と、を備える。【選択図】図１８
2014142696.tif 000002
【特許請求の範囲】
【請求項１】
解析処理装置による解析対象となる入力データに対する監視を行う人物の動作を検出し、当該検出した人物の動作に基づいて、前記入力データが前記人物による監視対象となっているか否かを判定する判定手段と、
前記入力データが前記人物による監視対象となっていると判定した場合に、当該入力データに対する前記解析処理装置による解析処理の負荷を低減させるよう当該解析処理装置による解析処理動作を制御する解析処理制御手段と、
を備えた、
解析処理制御システム。
【請求項２】
請求項１に記載の解析処理制御システムであって、
前記判定手段は、前記人物による前記入力データの選択動作を検出し、当該検出した選択動作に基づいて前記入力データが前記人物による監視対象となっているか否かを判定する、
解析処理制御システム。
【請求項３】
請求項２に記載の解析処理制御システムであって、
前記判定手段は、前記人物の選択動作により、映像データである前記入力データが前記人物により閲覧可能な特定の表示装置に表示されているか否かを検出し、前記入力データが前記人物による監視対象となっているか否かを判定する、
解析処理制御システム。
【請求項４】
請求項２に記載の解析処理制御システムであって、
前記判定手段は、前記人物の選択動作により、映像データである前記入力データが前記人物により閲覧可能な特定の表示装置に予め設定された表示状態で表示されているか否かを検出し、前記入力データが前記人物による監視対象となっているか否かを判定する、
解析処理制御システム。
【請求項５】
請求項１に記載の解析処理制御システムであって、
前記判定手段は、所定の出力装置から出力された状態の前記入力データに対する前記人物による監視動作を検出し、当該検出した監視動作に基づいて前記入力データが前記人物による監視対象となっているか否かを判定する、
解析処理制御システム。
【請求項６】
請求項５に記載の解析処理制御システムであって、
前記判定手段は、前記入力データが出力されている前記出力装置に対する前記人物の姿勢を当該人物の監視動作として検出し、当該検出した姿勢に基づいて前記入力データが前記人物による監視対象となっているか否かを判定する、
解析処理制御システム。
【請求項７】
請求項５に記載の解析処理制御システムであって、
前記判定手段は、前記出力装置に表示出力されている映像データである前記入力データに対する前記人物の視線を当該人物の監視動作として検出し、当該検出した視線に基づいて前記入力データが前記人物による監視対象となっているか否かを判定する、
解析処理制御システム。
【請求項８】
請求項１乃至７のいずれかに記載の解析処理制御システムであって、
前記判定手段は、検出した前記人物の動作に基づいて、前記入力データが前記人物による監視対象となっている確信度合を表す確信度を算出し、当該確信度に応じて前記入力データが前記人物による監視対象となっているか否かを判定する、
解析処理制御システム。
【請求項９】
解析処理装置による解析対象となる入力データに対する監視を行う人物による前記入力データに対する監視を支援する監視装置の状態を検出し、当該検出した監視装置の状態に基づいて、前記入力データが前記人物による監視対象となっているか否かを判定する判定手段と、
前記入力データが前記人物による監視対象となっていると判定した場合に、当該入力データに対する前記解析処理装置による解析処理の負荷を低減させるよう当該解析処理装置による解析処理動作を制御する解析処理制御手段と、
を備えた、
解析処理制御システム。
【請求項１０】
請求項９に記載の解析処理制御システムであって、
前記判定手段は、映像データである前記入力データが前記人物により閲覧可能な前記監視装置である特定の表示装置に表示されているか否かを検出し、前記入力データが前記人物による監視対象となっているか否かを判定する、
解析処理制御システム。
【請求項１１】
請求項９に記載の解析処理制御システムであって、
前記判定手段は、映像データである前記入力データが前記人物により閲覧可能な前記監視装置である特定の表示装置に予め設定された表示状態で表示されているか否かを検出し、前記入力データが前記人物による監視対象となっているか否かを判定する、
解析処理制御システム。
【請求項１２】
請求項９乃至１１のいずれかに記載の解析処理制御システムであって、
前記判定手段は、検出した前記監視装置の状態に基づいて、前記入力データが前記人物による監視対象となっている確信度合を表す確信度を算出し、当該確信度に応じて前記入力データが前記人物による監視対象となっているか否かを判定する、
解析処理制御システム。
【請求項１３】
請求項１乃至１２のいずれかに記載の解析処理制御システムであって、
前記解析処理装置による前記入力データに対する解析状況を表す解析状況情報を取得する解析状況情報取得手段を備え、
前記解析処理制御手段は、前記判定手段による前記入力データが前記人物による監視対象となっているか否かの判定結果と、前記解析状況情報取得手段によって取得した前記解析状況情報と、に基づいて、前記入力データに対する前記解析処理装置による解析処理の負荷を低減させるよう当該解析処理装置による解析処理動作を制御する、
解析処理制御システム。
【請求項１４】
請求項１乃至１３のいずれかに記載の解析処理制御システムであって、
前記解析処理制御手段は、前記入力データに対する前記解析処理装置による解析処理を停止するよう制御する、
解析処理制御システム。
【請求項１５】
情報処理装置に、
解析処理装置による解析対象となる入力データに対する監視を行う人物の動作を検出し、当該検出した人物の動作に基づいて、前記入力データが前記人物による監視対象となっているか否かを判定する判定手段と、
前記入力データが前記人物による監視対象となっていると判定した場合に、当該入力データに対する前記解析処理装置による解析処理の負荷を低減させるよう当該解析処理装置による解析処理動作を制御する解析処理制御手段と、
を実現させるためのプログラム。
【請求項１６】
請求項１５に記載のプログラムであって、
前記判定手段は、前記人物による前記入力データの選択動作を検出し、当該検出した選択動作に基づいて前記入力データが前記人物による監視対象となっているか否かを判定する、
プログラム。
【請求項１７】
請求項１５に記載のプログラムであって、
前記判定手段は、所定の出力装置から出力された状態の前記入力データに対する前記人物による監視動作を検出し、当該検出した監視動作に基づいて前記入力データが前記人物による監視対象となっているか否かを判定する、
プログラム。
【請求項１８】
情報処理装置に、
解析処理装置による解析対象となる入力データに対する監視を行う人物による前記入力データに対する監視を支援する監視装置の状態を検出し、当該検出した監視装置の状態に基づいて、前記入力データが前記人物による監視対象となっているか否かを判定する判定手段と、
前記入力データが前記人物による監視対象となっていると判定した場合に、当該入力データに対する前記解析処理装置による解析処理の負荷を低減させるよう当該解析処理装置による解析処理動作を制御する解析処理制御手段と、
を実現させるためのプログラム。
【請求項１９】
解析処理装置による解析対象となる入力データに対する監視を行う人物の動作を検出し、当該検出した人物の動作に基づいて、前記入力データが前記人物による監視対象となっているか否かを判定し、
前記入力データが前記人物による監視対象となっていると判定した場合に、当該入力データに対する前記解析処理装置による解析処理の負荷を低減させるよう当該解析処理装置による解析処理動作を制御する、
解析処理制御方法。
【請求項２０】
請求項１９に記載の解析処理制御方法であって、
前記人物による前記入力データの選択動作を検出し、当該検出した選択動作に基づいて前記入力データが前記人物による監視対象となっているか否かを判定する、
解析処理制御方法。
【請求項２１】
請求項１９に記載の解析処理制御方法であって、
前記判定手段は、所定の出力装置から出力された状態の前記入力データに対する前記人物による監視動作を検出し、当該検出した監視動作に基づいて前記入力データが前記人物による監視対象となっているか否かを判定する、
解析処理制御方法。
【請求項２２】
解析処理装置による解析対象となる入力データに対する監視を行う人物による前記入力データに対する監視を支援する監視装置の状態を検出し、当該検出した監視装置の状態に基づいて、前記入力データが前記人物による監視対象となっているか否かを判定し、
前記入力データが前記人物による監視対象となっていると判定した場合に、当該入力データに対する前記解析処理装置による解析処理の負荷を低減させるよう当該解析処理装置による解析処理動作を制御する、
解析処理制御方法。
【発明の詳細な説明】
【技術分野】
【０００１】
本発明は、解析処理制御システムにかかり、特に、解析エンジンによる解析処理動作を制御する解析処理制御システムに関する。
【背景技術】
【０００２】
近年、情報処理技術の発達に伴い、様々なデータの解析を行う解析システムの開発が行われている。例えば、動画像データから特定の服装の人物を抽出する、動画像データから特定の顔の人物を抽出する、動画像データから人間の動線をトレースする位置情報を生成する、音声データからテキストデータを生成するなど、様々な解析エンジンが開発されている。
【０００３】
また、同種あるいは異種の解析エンジンを複数組み合わせて、入力データから様々な解析処理結果を得ることができる解析システムも開発されている。例えば、カメラから入力した動画像データを、動線抽出エンジン、顔抽出エンジン、年齢判別エンジンなどを用いて並列又は直列に処理し、所定の挙動の人物を判定する、といった解析処理を行うシステムも開発されている。このようなカメラにて撮影した動画像データから人物を判定するといった解析システムでは、解析対象データの入力時から、遅滞なく迅速に、望ましくはリアルタイムに、解析処理結果を得ることが要求されている。
【０００４】
例えば、特許文献１に開示のシステムでは、ある施設内の監視を行うため、当該施設内に設置された複数の監視カメラの各々で撮影された画像を解析し、解析結果に基づき追跡対象となる人物の位置を認識している。このような人物を認識するシステムでは、上述したように、解析対象データの入力時から遅滞なく迅速に解析処理結果を得ることが望ましい。
【先行技術文献】
【特許文献】
【０００５】
【特許文献１】特開２００９−９８７７４号公報
【発明の概要】
【発明が解決しようとする課題】
【０００６】
しかしながら、解析対象データが、動画像データや音声データといった連続的に入力され、かつ、容量が比較的大きいデータである場合には、解析エンジンで行う解析処理の負荷が高まり、解析処理結果を迅速に得ることが困難となる。一方で、動画像データのフレームレートを低く設定するなど、予め解析対象データの容量を小さくしておくと、所望の解析精度の解析結果を得ることができない、という問題が生じる。つまり、解析処理の負荷を低減しつつ、所望の解析精度の解析結果を得ることが困難である、という問題がある。
【０００７】
このため、本発明の目的は、解析処理の負荷を低減しつつ、解析対象データから所望の解析結果を得ることができない、という問題を解決することができる解析処理制御システム、プログラム、解析処理制御方法を提供することにある。
【課題を解決するための手段】
【０００８】
本発明の一形態である解析処理制御システムは、
解析処理装置による解析対象となる入力データに対する監視を行う人物の動作を検出し、当該検出した人物の動作に基づいて、前記入力データが前記人物による監視対象となっているか否かを判定する判定手段と、
前記入力データが前記人物による監視対象となっていると判定した場合に、当該入力データに対する前記解析処理装置による解析処理の負荷を低減させるよう当該解析処理装置による解析処理動作を制御する解析処理制御手段と、
を備えた、
という構成をとる。
【０００９】
また、本発明の他の形態である解析処理制御システムは、
解析処理装置による解析対象となる入力データに対する監視を行う人物による前記入力データに対する監視を支援する監視装置の状態を検出し、当該検出した監視装置の状態に基づいて、前記入力データが前記人物による監視対象となっているか否かを判定する判定手段と、
前記入力データが前記人物による監視対象となっていると判定した場合に、当該入力データに対する前記解析処理装置による解析処理の負荷を低減させるよう当該解析処理装置による解析処理動作を制御する解析処理制御手段と、
を備えた、
という構成をとる。
【００１０】
また、本発明の他の形態であるプログラムは、
情報処理装置に、
解析処理装置による解析対象となる入力データに対する監視を行う人物の動作を検出し、当該検出した人物の動作に基づいて、前記入力データが前記人物による監視対象となっているか否かを判定する判定手段と、
前記入力データが前記人物による監視対象となっていると判定した場合に、当該入力データに対する前記解析処理装置による解析処理の負荷を低減させるよう当該解析処理装置による解析処理動作を制御する解析処理制御手段と、
を実現させるためのプログラムである。
【００１１】
また、本発明の他の形態であるプログラムは、
情報処理装置に、
解析処理装置による解析対象となる入力データに対する監視を行う人物による前記入力データに対する監視を支援する監視装置の状態を検出し、当該検出した監視装置の状態に基づいて、前記入力データが前記人物による監視対象となっているか否かを判定する判定手段と、
前記入力データが前記人物による監視対象となっていると判定した場合に、当該入力データに対する前記解析処理装置による解析処理の負荷を低減させるよう当該解析処理装置による解析処理動作を制御する解析処理制御手段と、
を実現させるためのプログラムである。
【００１２】
また、本発明の他の形態である解析処理制御方法は、
解析処理装置による解析対象となる入力データに対する監視を行う人物の動作を検出し、当該検出した人物の動作に基づいて、前記入力データが前記人物による監視対象となっているか否かを判定し、
前記入力データが前記人物による監視対象となっていると判定した場合に、当該入力データに対する前記解析処理装置による解析処理の負荷を低減させるよう当該解析処理装置による解析処理動作を制御する、
という構成をとる。
【００１３】
また、本発明の他の形態である解析処理制御方法は、
解析処理装置による解析対象となる入力データに対する監視を行う人物による前記入力データに対する監視を支援する監視装置の状態を検出し、当該検出した監視装置の状態に基づいて、前記入力データが前記人物による監視対象となっているか否かを判定し、
前記入力データが前記人物による監視対象となっていると判定した場合に、当該入力データに対する前記解析処理装置による解析処理の負荷を低減させるよう当該解析処理装置による解析処理動作を制御する、
という構成をとる。
【発明の効果】
【００１４】
本発明は、以上のように構成されることにより、解析処理の負荷を低減しつつ、解析対象データから所望の解析結果を得ることができる。
【図面の簡単な説明】
【００１５】
【図１】本発明の実施形態１における解析システムの構成を示すブロック図である。
【図２】図１に開示した解析制御条件ＤＢに記憶されるデータの一例を示す図である。
【図３】図１に開示した解析システムの動作を示すフローチャートである。
【図４】図１に開示した監視端末の表示部の様子を示す図である。
【図５】本発明の実施形態１における解析システムの他の例を示すブロック図である。
【図６】本発明の実施形態１における解析システムの他の例を示すブロック図である。
【図７】本発明の実施形態２における解析システムの構成を示すブロック図である。
【図８】図７に開示した解析システムの動作を示すフローチャートである。
【図９】本発明の実施形態２における解析システムの他の構成を示すブロック図である。
【図１０】図９に開示した解析システムの動作を示すフローチャートである。
【図１１】本発明の実施形態３における解析システムの構成を示すブロック図である。
【図１２】図１１に開示した解析制御条件ＤＢに記憶されるデータの一例を示す図である。
【図１３】図１１に開示した解析システムの動作を示すフローチャートである。
【図１４】本発明の実施形態３における解析システムの他の構成を示すブロック図である。
【図１５】図１４に開示した解析制御条件ＤＢに記憶されるデータの一例を示す図である。
【図１６】本発明の実施形態４における解析システムの構成を示すブロック図である。
【図１７】図１６に開示した解析システムの動作を示すフローチャートである。
【図１８】本発明の付記１における解析処理制御システムの構成を示すブロック図である。
【発明を実施するための形態】
【００１６】
＜実施形態１＞
本発明の第１の実施形態を、図１乃至図６を参照して説明する。図１乃至図２は、解析システムの構成を説明するための図であり、図３乃至図４は、解析システムの動作を説明するための図である。図５乃至図６は、解析システムの他の例を示す図である。
【００１７】
本実施形態における解析システムは、１台又は複数台の情報処理装置にて構成されており、取得した解析対象となる入力データに対する所定の解析処理を行うシステムである。例えば、解析システムは、図１に示すように、所定場所に設置された監視カメラ１にて撮影した映像データ（入力データ）を取得して、当該映像データに対する所定の解析処理を監視サーバ２にて行い、当該映像データに映っている物体の監視を行う、というものである。また、解析システムは、監視カメラ１にて撮影した映像データを監視端末３に表示することで、監視者４が目視による監視も可能とする、というものである。
【００１８】
以下、解析システムの具体的な構成について説明する。なお、以下では、解析システムによる監視対象が映像データである場合を例示して説明するが、監視対象は映像データであることに限定されない。つまり、解析システムは、映像データ以外の他のデータ（例えば、音声データ）を解析対象としてもよく、また、動体検出などの解析処理を行うことに限定されず他の解析処理を行うものであってもよい。
【００１９】
まず、解析システムは、図１に示すように、監視を行う領域を撮影可能な場所に設置された監視カメラ１を備えている。なお、図１では、１つの監視カメラしか図示していないが、それぞれ異なる領域を撮影可能な複数の監視カメラを備えている。但し、複数の監視カメラは、それぞれ異なる方向から同一の領域を撮影可能なよう設けられていてもよい。また、解析システムは、１つの監視カメラだけを備えていてもよい。
【００２０】
また、解析システムは、情報処理装置である監視サーバ２と監視端末３とを備えている。監視サーバ２と監視端末３とは、それぞれ監視カメラ１にて撮影した映像データを取得する。そして、監視サーバ２は、取得した映像データに対する解析処理を行い、監視端末３は監視者による監視が可能なよう映像データを表示出力する。以下、監視サーバ２と監視端末３の構成について詳述する。
【００２１】
上記監視端末３は、装備された演算装置にプログラムが組み込まれることで構築された、監視対象判定部３１、表示制御部３２を備えている。また、監視端末３は、監視者４が操作する入力装置である選択部３３と、映像データを表示出力する表示部３４と、を備えている。
【００２２】
上記選択部３３は、監視カメラ１から取得した映像データのうち表示部３４に表示出力させる映像データを、監視者４が選択する際に操作する入力装置である。例えば、監視カメラ１が１つである場合には、当該監視カメラ１から取得した映像データを表示部３４に表示することを選択する旨を入力する入力装置である。また、監視カメラ１が複数ある場合には、複数の監視カメラ１から取得したいずれかの映像データを選択する旨を入力する入力装置である。このように、選択部３３は、監視者４による映像データの選択動作を検出する機能を有する。そして、選択部３３は、映像データが選択された旨を表示制御部３２に通知する。
【００２３】
上記表示制御部３２は、選択された映像データを表示部３４に出力するよう制御する。これにより、監視者４によって選択された映像データが表示部３４に表示出力され、当該映像データを監視者４が目視で監視することが可能な状態となる。また、表示制御部３２は、選択され表示部３４に表示出力されている映像データを特定する情報を監視対象判定部３１に通知する。
【００２４】
上記監視対象判定部３１は、表示制御部３２から映像データを特定する情報の通知を受けると、当該映像データが監視者４による監視対象となっていると判定する。そして、監視対象判定部３１は、かかる判定結果、つまり、監視者４による監視対象となっている映像データを特定する情報を、監視サーバ２の解析制御部２５に通知する。以上のように、選択部３３、表示制御部３２、監視対象判定部３１は、協働して、監視者４による映像データの選択動作を検出して、当該検出した動作から、映像データが監視者４による監視対象となっているか否かを判定する判定手段として機能する。
【００２５】
なお、上記選択部３３は、監視者４による映像データの選択を解除する入力も受け付け、表示制御部３２に通知する。これに伴い、表示制御部３２は、選択が解除された映像データの表示部３４への表示を停止する。また、監視対象判定部３１は、かかる映像データが監視者４による監視対象から除外されたことを監視サーバ２の解析制御部２５に通知する。
【００２６】
次に、監視サーバ２の構成について説明する。監視サーバ２は、装備された演算装置にプログラムが組み込まれることで構築された、第１解析部２１、第２解析部２２、第ｎ解析部２３、アラート生成部２４、解析制御部２５、を備えている。また、監視サーバ２は、装備された記憶装置に、解析制御条件ＤＢ２６を備えている。なお、解析サーバ２は、さらに他の解析部を備えていてもよい。
【００２７】
上記第１解析部２１、第２解析部２２、第ｎ解析部２３は、それぞれ映像データに対する所定の解析処理を行う解析エンジンである。なお、各解析部２１，２２，２３の具体例は後述する。アラート生成部２４は、各解析部２１，２２，２３による解析処理の結果に応じてアラートを生成して出力する。
【００２８】
上記解析制御部２５は、監視カメラ１から映像データを取得し、各解析部２１，２２，２３にて映像データに対する解析処理を行うよう当該各解析部２１，２２，２３の動作を制御する。なお、監視カメラ１が複数ある場合には、各監視カメラ１から取得した各映像データに対して、それぞれ各解析部２１，２２，２３による解析処理を行うよう制御する。
【００２９】
また、解析制御部２５（解析処理制御手段）は、監視者４による監視動作に応じて各解析部２１，２２，２３による解析処理を停止するなど、映像データに対する解析処理装置による解析処理の負荷を軽減させるよう解析処理動作を制御する。具体的に、解析制御部２５は、上述したように、監視端末３の監視対象判定部３１から監視対象となっている映像データの通知を受けると、解析制御条件ＤＢ２６に登録されている情報に従って、かかる映像データに対する登録されている解析部（制御対象）による解析処理を、登録されている動作（制御内容）となるよう制御する。
【００３０】
上記解析制御条件ＤＢ２６には、例えば、図２に示す情報が登録されている。図２の２行目の情報（Ｄ１）は、「監視カメラ（ｃ１）から取得した映像データ（ｃ１）が、管理者４にて監視状態であると判定された場合に、当該映像データ（ｃ１）に対する第２解析部による解析処理を停止する」という内容である。このような情報が登録されている場合に、解析制御部２５は、監視者４にて映像データ（ｃ１）が監視対象となっていることの通知を受けると、当該映像データ（ｃ１）に対する第２解析部２２による解析処理を停止するよう制御する。
【００３１】
ここで、上述したように停止するよう登録されている第２解析部２２による解析処理は、監視者４つまり人間の目視による監視が優れていると考えられるものである。このため、監視者４が映像データを監視している場合には、第２解析部２２による解析処理を停止して、かかる解析処理を人間に任せることで、所望の解析結果を迅速に取得しつつ、監視サーバ２による解析処理にかかる負荷を軽減することができる。
【００３２】
なお、解析制御条件ＤＢ２６に登録される解析エンジン（解析部）の制御内容は、上述した「停止」であることに限定されない。例えば、解析エンジンに入力する映像データなどの入力データの容量を軽減したり、解析エンジンによる解析処理を遅延させて実行するなど、監視サーバ２の処理負荷を軽減させる制御内容であればよい。
【００３３】
また、上記解析制御部２５は、監視端末３の監視対象判定部３１から映像データが監視者４による監視対象から除外された旨の通知を受けると、解析制御条件ＤＢ２６に従って停止するなど制御していた解析部の解析処理を、通常通りに再開する。
【００３４】
次に、上述した解析システムの動作を、図３を参照して説明する。なお、ここでは、監視カメラ１が１つだけであり、１つの映像データが解析対象となっていることとする。
【００３５】
まず、監視カメラ１にて映像データが取得され、当該映像データが監視サーバ２と監視端末３に入力される。監視サーバ２は、入力された映像データに対する各解析部２１，２２，２３による解析処理を開始する。監視端末３は、監視者４から監視映像の選択入力を受け付けると（ステップＳ１）、監視カメラ１から入力された映像データを表示部３４に表示出力する（ステップＳ２）。これにより、監視者４により映像データが監視されている状態となる。これに伴い、監視端末３は、映像データが監視者４による監視対象となっていると判定し、その旨を監視サーバ２に通知する（ステップＳ３）。
【００３６】
監視サーバ２は、映像データが監視対象となっている旨の通知を受けると、解析制御条件ＤＢ２６に登録されている内容に従って、映像データの解析処理にかかる負荷を軽減させるよう制御する（ステップＳ４）。例えば、監視サーバ２による第２解析部２２による解析処理を停止する。
【００３７】
このように、監視者４が監視対象としている場合には、監視者４つまり人間による監視が優れていると考えられる解析処理に関しては、かかる解析処理を人間に任せて解析エンジン（解析部）による処理を停止することができる。これにより、監視サーバ２による解析処理にかかる負荷を軽減することができ、軽減された分の資源を他の処理に費やすことができる。その結果、監視者４による解析により、所望の精度の解析結果を迅速に得ることができる。
【００３８】
なお、上記では、１つの映像データが解析対象となっている場合を説明したが、複数の監視カメラ１が設置されていて複数の映像データが解析対象となっている場合について、図４を参照して説明する。図４は、監視端末３の表示部３４の様子を示す図である。この図に示すように、表示部３４には、まず３つの監視カメラ（カメラ１、カメラ２、カメラ３）にて撮影した映像データが、符号ｃ１，ｃ２，ｃ３に示すようにそれぞれ小さく表示される。このうち、監視端末３の選択部３３にて監視者４が映像データを選択すると、当該選択された映像データが、表示制御部３２によって符号Ａに示すように表示部３４に大きく表示される。このように大きい表示状態となった映像データは監視者４による監視対象となり、監視対象判定部３１は、当該映像データが監視対象となっていると判定し、かかる映像データを特定する情報（例えば、ｃ２）を監視サーバ２の解析制御部２５に通知する。
【００３９】
例えば、図４の例では、監視者４によって選択された「カメラ２の映像データｃ２」が表示部３４に大きく表示され、図２に示す解析制御条件ＤＢ２６により、当該「カメラ２の映像データｃ２」に対する第２解析部２２による解析処理が停止される。
【００４０】
ここで、上記では、表示部３４に大きく表示された表示状態の映像データが、監視者４の監視対象となっている場合を説明したが、他の予め設定された表示状態となった映像データを、監視者４による監視対象となったと判定してもよい。例えば、複数の表示装置が設置されている状況において、監視者４が着座する場所に位置する特定の表示装置に表示されるよう選択された映像データが監視対象となっている、と判定してもよい。
【００４１】
続いて、本実施形態における解析システムの他の構成例を、図５乃至図６を参照して説明する。まず、図５に示す例では、解析システムは不審者検出・追跡システムであり、監視サーバ２は、各解析部として、動体を抽出する動体解析部６１、動体の動線をトレースして不審行動を検出する不審行動検出部６２、不審行動を行った動体を追跡する動体追跡部６３、を備えている。そして、解析制御条件ＤＢ２６には、監視者４が映像データを監視対象としている場合に、「不審行動検出部６２による解析処理を停止する」旨の情報が登録されている。これは、不審な行動は、定義可能な特定の行動パタンしか自動検出できないが、監視者４（人間）が目視により監視する場合には、より広い行動パタンを不審行動と検出できると考えられることによる。
【００４２】
これにより、監視者４が映像データを監視対象としている場合には、不審行動検出部６２による解析処理を停止し（図５の斜線部分参照）、かかる解析処理を監視者４に任せることで、監視サーバ２による解析処理にかかる負荷を軽減することができる。その結果、軽減された監視サーバ２の資源を他の処理に費やすことができると共に、監視者４による監視により、所望の精度の解析結果を迅速に得ることができる。
【００４３】
また、図６に示す例では、解析システムは迷子探索システムであり、監視サーバ２は、各解析部として、人物を検出する人物検出部７１、人物の服装を抽出する服装抽出部７２、人物の年齢を推定する年齢推定部７３、を備えている。そして、解析制御条件ＤＢ２６には、監視者４が映像データを監視対象としている場合に、「人物検出部７１、服装抽出部７２、年齢推定部７３による解析処理を停止する」旨の情報が登録されている。これは、服装検出部７２では色と模様だけしか検出できないが、監視者４（人間）が目視により監視する場合には、服装の種類も判別でき、また、年齢もより正確に判別できると考えられることによる。
【００４４】
これにより、監視者４が映像データを監視対象としている場合には、人物検出部７１、服装抽出部７２、年齢推定部７３による解析処理を停止し（図６の斜線部分参照）、かかる解析処理を監視者４に任せることで、監視サーバ２による解析処理にかかる負荷を軽減することができる。その結果、軽減された監視サーバ２の資源を他の処理に費やすことができると共に、監視者４による監視により、所望の精度の解析結果を迅速に得ることができる。
【００４５】
ここで、上記では、解析システムが複数の情報処理装置（監視サーバ２、監視端末３）にて構成されているように図示しているが、当該解析システムは、１つの情報処理装置にて構成されていてもよく、さらに多くの複数の情報処理装置にて構成されていてもよい。また、解析システムは、必ずしも各解析部２１等を備えていることに限定されず、解析システムに、各解析部２１等を備える他の情報処理装置が接続されていてもよい。
【００４６】
＜実施形態２＞
次に、本発明の第２の実施形態を、図７乃至図１０を参照して説明する。図７は、解析システムの構成を説明するための図であり、図８は、解析システムの動作を説明するための図である。また、図９は、解析システムの他の構成を説明するための図であり、図１０は、その動作を説明するための図である。
【００４７】
本実施形態における解析システムは、上述した第１の実施形態で説明したものとほぼ同様の構成をとるが、映像データ（入力データ）が監視者４による監視対象となっているか否かを判定する処理が異なる。以下、実施形態１と異なる構成を主に説明する。
【００４８】
まず、本実施形態における解析システムでは、監視カメラ１からの映像データが常に表示部３４に表示出力されていることとする。そして、本実施形態における解析システムは、図７に示すように、監視者４が映像データの監視を行う部屋などの領域に、当該監視者４を撮影するカメラ５を設置して備えている。このカメラ５は、例えば、表示部３４の前に着座する監視者４の上半身を撮影する位置に設置されている。そして、カメラ５にて撮影した監視者映像データは、監視対象判定部３１に送信される。
【００４９】
上記監視対象判定部３１は、カメラ５にて撮影した監視者映像データを解析する機能を有し、監視者映像データに映っている監視者４の監視動作を検出する。例えば、監視者映像データから監視者４の上半身の姿勢、特に、顔の向きを検出する。なお、監視者４の顔の向きの検出は、例えば、映像データから抽出した特徴量と、予め設定された特徴量とのマッチングなどから、顔の部位及びその向きを検出することで実現可能である。そして、監視対象判定部３１は、検出した顔の向きが表示部３４方向であるか否かを判定し、顔の向きが予め設定された表示部３４方向である場合には、映像データが監視者４による監視対象となっていると判定する。
【００５０】
このとき、監視対象判定部３１は、検出した顔の向きに応じて、映像データが監視者４による監視対象となっている確信度合を表す確信度を算出する。例えば、検出した顔の向きが表示部３４方向と完全に一致する場合には、確信度＝１００％と算出し、顔の向きと表示部３４方向との差が大きくなるほど確信度が低くなるよう算出する。そして、算出した確信度の値に応じて、映像データが監視者４による監視対象となっているか否かを判定する。例えば、確信度＞＝８０％である場合には、映像データが監視者４による監視対象となっているかと判定する。そして、監視対象判定部３１は、映像データが監視者４による監視対象となっていることを監視サーバ２の解析制御部２５に通知する。
【００５１】
また、監視対象判定部３１は、カメラ５からの監視者映像データを解析し、長時間であると設定された時間の間、監視者４が監視した状態であると判断した場合や、監視者４が動いていないと判断した場合には、上述したように監視者４の姿勢から算出した確信度の値をさらに低下させてもよい。これは、監視者４が長時間作業しているなどの状況である場合には、監視者４の注意が散漫となることが考えられるためである。
【００５２】
なお、監視対象判定部３１は、他の方法や基準により、映像データが監視者４による監視対象となっている確信度合を表す確信度を算出してもよい。また、確信度を算出せず、監視者映像データから抽出した監視者４の姿勢が予め設定された基準を満たしているか否かを判定し、姿勢が基準を満たしている場合に、映像データが監視者４による監視対象となっている、と判定してもよい。
【００５３】
そして、監視対象判定部３１から、映像データが監視者４による監視対象となっていることの通知を受けた解析制御部２５は、実施形態１と同様に、解析制御条件ＤＢ２６に登録されている情報に従って、かかる映像データに対する登録されている解析部による解析処理を、登録されている内容に制御する。例えば、映像データに対する第２解析部２２による解析処理を停止するよう制御する。
【００５４】
なお、上記監視対象判定部３１は、一定の時間間隔で監視者映像データの解析を行い、監視者４の姿勢から当該監視者４が映像データを監視している状態ではない、と判定すると、かかる映像データが監視者４による監視対象から除外されたことを監視サーバ２の解析制御部２５に通知する。これに応じて、解析制御部２５は、解析制御条件ＤＢ２６に従って停止するなど制御していた解析部の解析処理を、通常通りに再開する。
【００５５】
ここで、上記監視対象判定部３１は、監視者映像データから監視者４の顔の向きを検出する場合を例示したが、監視者４の姿勢として、視線を検出してもよい。この場合には、監視者４用のカメラ５を、監視者４の目を撮影可能なよう設置し、当該目の位置から視線を検出する。なお、監視者４の視線の検出は、例えば、映像データから抽出した特徴量と、予め設定された特徴量とのマッチングなどから、目の部位及びその向きを検出することで実現可能である。そして、監視対象判定部３１は、検出した視線の方向が表示部３４方向であるか否かを判定し、視線の方向が予め設定された表示部３４方向である場合には、映像データが監視者４による監視対象となっていると判定する。あるいは、監視対象判定部３１は、上述同様に、検出した視線に応じて、映像データが監視者４による監視対象となっている確信度合を表す確信度を算出し、かかる確信度の値に応じて、映像データが監視者４による監視対象となっているか、を判定してもよい。
【００５６】
また、上記では、監視対象判定部３１は、検出した監視者４の顔の向きや視線に基づいて、映像データが監視者４による監視対象となっているかと判定する例を説明したが、監視者４の他の姿勢などを含む他の監視動作を検出して、かかる監視動作に基づいて判定してもよい。
【００５７】
また、監視者４の姿勢などの監視動作は、必ずしも監視者４を撮影した監視者映像データから検出されることに限定されない。監視者４を撮影するカメラ５の代わりに、監視者４の顔の向きや視線などの姿勢を検出するセンサを設けてもよい。この場合には、かかるセンサからの検出結果に基づいて、監視対象判定部３１が監視者４の監視動作を検出し、当該監視動作に応じて監視者４が映像データを監視状態であるか否かを判定してもよい。
【００５８】
次に、上述した解析システムの動作を、図８を参照して説明する。まず、監視カメラ１にて映像データが取得されて、当該映像データが監視サーバ２と監視端末３に入力される。監視サーバ２は、入力された映像データに対する解析処理を開始する。監視端末３は、入力された映像データを表示部３４に表示出力する。
【００５９】
そして、監視端末３の監視対象判定部３１は、監視者４を撮影するカメラ５から監視者映像データを取得し、一定の時間間隔で、監視者映像データに映っている監視者４の監視動作、例えば、姿勢である顔の向きを検出する（ステップＳ１１）。そして、検出した顔の向きと表示部３４方向とに基づいて確信度を算出し（ステップＳ１２）、当該確信度に応じて映像データが監視者４による監視対象となっているか否かを判定する（ステップＳ１３）。監視端末３は、確信度から映像データが監視者４による監視対象となっていると判定すると、その旨を監視サーバ２に通知する。
【００６０】
監視サーバ２は、映像データが監視対象となっている旨の通知を受けると、解析制御条件ＤＢ２６に登録されている内容に従って、映像データの解析処理にかかる負荷を軽減させるよう制御する（ステップＳ４）。例えば、監視サーバ２による第２解析部２２による解析処理を停止する。
【００６１】
ここで、上記では、監視端末３が算出した確信度の値に応じて、映像データが監視者４による監視対象となっているか否かを判定する場合を例示したが、監視端末３は算出した確信度の値を、監視サーバ２に送信してもよい。これに伴い、監視サーバ２には、確信度の値に応じて解析処理の制御内容が登録され、通知を受けた確信度の値に応じて、映像データの解析処理にかかる負荷を軽減させる制御が実行されてもよい。
【００６２】
次に、本実施形態における解析システムの他の例を、図９乃至図１０を参照して説明する。図９に示す解析システムは、本実施形態で説明した上記のものと、第１の実施形態で説明したものと、をほぼ組み合わせた構成をとっている。つまり、この例における解析システムは、上述した図７に示す構成に加え、図９に示すように、実施形態１で説明した選択部３３を備えている。これにより、監視端末３は、監視者４から監視映像の選択入力を受け付けると（ステップＳ２１）、当該選択された監視カメラ１からの映像データを表示部３４に表示出力する（ステップＳ２２）。
【００６３】
そして、本例における解析システムの監視端末３が備える監視対象判定部３１は、監視者４を撮影するカメラ５からの監視者映像データから監視者４の姿勢（例えば、顔の向き）を検出する（ステップＳ２３）。その後、検出した顔の向きと表示部３４方向とに基づいて確信度を算出し、当該確信度に応じて、上述したように選択部３３にて選択された映像データが監視者４による監視対象となっているか否かを判定する。監視端末３は、確信度から映像データが監視者４による監視対象となっていると判定すると（ステップＳ２４）、選択されている映像データを特定する情報と共に、当該映像データが監視対象となっている旨を監視サーバ２に通知する。
【００６４】
監視サーバ２は、特定の映像データが監視対象となっている旨の通知を受けると、解析制御条件ＤＢ２６に登録されている内容に従って、通知された映像データの解析処理にかかる負荷を軽減させるよう制御する（ステップＳ２５）。例えば、映像ＩＤｃ２に対する監視サーバ２による第２解析部２２による解析処理を停止する。
【００６５】
ここで、上記では、監視者４が選択部３３から映像データを選択することを説明したが、監視者４自身による監視動作によって映像データを選択してもよい。例えば、複数の監視カメラ１から複数の映像データを取得し、各映像データがそれぞれ表示部３４に表示されている場合を想定する。このとき、カメラ５にて撮影した監視者映像データから監視者４の姿勢、例えば、顔の向きを検出し、顔が向いている方向に表示されている映像データが選択されるよう構成してもよい。
【００６６】
＜実施形態３＞
次に、本発明の第３の実施形態を、図１１乃至図１５を参照して説明する。図１１乃至図１２は、解析システムの構成を説明するための図であり、図１３は、解析システムの動作を説明するための図である。また、図１４は、解析システムの他の構成を説明するための図であり、図１５は、その動作を説明するための図である。
【００６７】
本実施形態における解析システムは、上述した第２の実施形態で説明したものとほぼ同様の構成をとるが、解析処理の制御方法が異なる。つまり、本実施形態では、映像データ（入力データ）が監視者４による監視対象となっていることに加え、解析処理の状況など他の状況も考慮して、解析処理を制御している。以下、上述した実施形態１と異なる構成を主に説明する。
【００６８】
まず、本実施形態における解析システムでは、監視端末３が、装備された演算装置にプログラムが組み込まれることで構築された解析状況取得部３５（解析状況情報取得手段）を備えている。解析状況取得部３５は、監視サーバ２における映像データに対する解析状況を表す解析状況情報を取得する。ここで、解析状況情報は、例えば、映像データに対する各解析部による解析処理結果や、解析処理を行っている監視サーバ２のＣＰＵの負荷、解析システム内のネットワーク帯域などである。そして、解析状況取得部３５は、取得した解析状況情報を監視サーバ２の解析制御部２５に通知する。なお、解析状況取得部３５の機能は、監視サーバ２の解析制御部２５に設けられていてもよい。
【００６９】
これに加えて、本実施形態における監視サーバ２の解析制御部２５は、監視端末３の監視対象判定部３１から通知された映像データが監視者４による監視対象となっているか否かの判定結果と、解析状況取得部３５から通知された解析状況情報と、に基づいて、解析制御条件ＤＢ２６に登録されている情報に従い、解析処理動作を制御する。
【００７０】
ここで、本実施形態における解析システムの具体例を説明する。まず、図１１に示す解析システムは犯人検出システムであり、監視サーバ２は、各解析部として、人物を検出する人物検出部８１、人物の顔特徴を抽出する顔特徴抽出部８２、人物の顔と予め登録された顔とを照合する顔照合部８３、を備えている。そして、解析制御条件ＤＢ２６には、図１２に示すように、「条件」として、「監視者４による監視状態の条件」に加え、「解析状況情報の条件」が設定されており、かかる「条件」を満たした場合の「制御対象（解析部）」と「制御内容」が設定されている。
【００７１】
例えば、図１２の２段目（Ｄ１１）には、「監視者４が映像データを監視対象としている（監視状態＝Ｙｅｓ）」及び「映像データ中の１フレーム内に映っている人物の数が１０人未満（画面内人数＜１０」を満たす場合には、「顔特徴抽出部」と「顔照合部」を「停止する」、という情報が登録されている。また、図１２の３段目（Ｄ１２）には、「監視者４が映像データを監視対象としている（監視状態＝Ｙｅｓ）」及び「映像データ中の１フレーム内に映っている人物の数が１０人以上（画面内人数＞＝１０」を満たす場合には、「顔特徴抽出部」を「フレームレートを下げて実行する」、という情報が登録されている。
【００７２】
上述した状況において、まず、解析システムでは、監視カメラ１にて映像データが取得されて、監視サーバ２と監視端末３に入力される。監視サーバ２は、入力された映像データに対する解析処理を開始する。監視端末３は、入力された映像データを表示部３４に表示出力する。
【００７３】
そして、監視端末３の監視対象判定部３１は、監視者４を撮影するカメラ５から監視者映像データを取得し、一定の時間間隔で、監視者映像データに映っている監視者４の監視動作、例えば、姿勢である顔の向きを検出する（ステップＳ３１）。そして、検出した顔の向きと表示部３４方向とに基づいて確信度を算出し、当該確信度に応じて映像データが監視者４による監視対象となっているか否かを判定する（ステップＳ３２）。監視端末３は、確信度から映像データが監視者４による監視対象となっていると判定すると、その旨を監視サーバ２に通知する。
【００７４】
また、監視端末３の解析状況取得部３５は、監視サーバ２で実行されている人物検出部８１による解析処理結果である「１フレーム内に映っている人物の数」を取得し（ステップＳ３３）、かかる「人物の数」を解析サーバ２の解析制御部２５に通知する。
【００７５】
続いて、監視サーバ２の解析制御部２５は、上述したように通知を受けた「監視状態の判定結果」と、解析状況情報である「人物の数」に基づいて、解析処理条件ＤＢ２６に従って、解析処理動作の制御を行う制御対象と制御内容を特定する（ステップＳ３４）。そして、解析制御部２５は、特定した制御対象となる解析部を停止するなど、監視サーバ２による解析処理にかかる負荷を軽減する制御を行う（ステップＳ３５）。
【００７６】
例えば、図１２の２段目（Ｄ１１）に示す条件に合致する場合には、顔特徴抽出部８２と顔照合部８３とを停止する、という制御を行う。このケースでは、顔特徴抽出及び顔照合は人間による監視の方が迅速かつ高精度であると考えられるため、監視者４に監視を任せ、監視サーバ２の処理負荷を軽減する。
【００７７】
また、図１２の３段目（Ｄ１２）に示す条件に合致する場合には、顔特徴抽出部８２をフレームレートを下げて実行する、という制御を行う。このケースでは、１フレーム内に映っている人物の数が１０人以上であるため、監視者４による監視だけでは対象となる人物を見逃すこともあると考えられる。このため、特徴抽出部８２及び顔照合部８３による解析処理を停止せずにそのまま実行しておきつつ、そのうち顔特徴抽出部８２による解析処理に関しては、解析精度は低下するもののフレームレートを下げた状態で継続する。
【００７８】
次に、解析システムの他の具体例を、図１４乃至図１５を参照して説明する。図１４に示す解析システムは不審者検出システムであり、監視サーバ２は、各解析部として、人物を検出する人物検出部９１、服装を抽出する服装抽出部９２、人物の動線をトレースして不審行動を検出する不審行動検出部９３、を備えている。そして、解析制御条件ＤＢ２６には、図１５に示すように、「条件」として、「監視者４による監視状態の条件」に加え、「解析状況情報の条件」が設定されており、かかる「条件」を満たした場合の「制御対象（解析部）」と「制御内容」が設定されている。
【００７９】
例えば、図１５の２段目（Ｄ２１）には、「監視者４が映像データを監視対象としている確信度＞＝８０％（監視確信度＞＝８０％）」及び「ＣＰＵ負荷＞８０％」を満たす場合には、「服装抽出部」を「停止する」、という情報が登録されている。図１５の３段目（Ｄ２２）には、「６０％＝＜監視確信度＜８０％」及び「ＣＰＵ負荷＞８０％」を満たす場合には、「服装抽出部」を「色抽出を実行するが、模様抽出は停止する（パラメータ変更）」、という情報が登録されている。図１５の４段目（Ｄ２３）には、「４０＝＜監視確信度＜６０％」及び「ＣＰＵ負荷＞８０％」を満たす場合には、「服装抽出部」を「遅延実行する」、という情報が登録されている。図１５の５段目（Ｄ２４）には、「監視確信度＞＝８０％）」及び「人物幅＞＝１００ピクセル」を満たす場合には、「不審行動検出部」を「停止する」、という情報が登録されている。
【００８０】
上述した状況において、まず、解析システムでは、監視カメラ１にて映像データが取得されて、監視サーバ２と監視端末３に入力される。監視サーバ２は、入力された映像データに対する解析処理を開始する。監視端末３は、入力された映像データを表示部３４に表示出力する。
【００８１】
そして、監視端末３の監視対象判定部３１は、監視者４を撮影するカメラ５から監視者映像データを取得し、一定の時間間隔で、監視者映像データに映っている監視者４の監視動作、例えば、姿勢である顔の向きを検出する。そして、検出した顔の向きと表示部３４方向とに基づいて確信度を算出し、確信度が４０％以上の場合には、監視者４による監視状態であると判定し、その旨と共に確信度の値を監視サーバ２に通知する。
【００８２】
また、監視端末３の解析状況取得部３５は、監視サーバ２のＣＰＵの負荷を取得し、当該負荷情報を監視サーバ２の解析制御部２５に通知する。さらに、解析状況取得部３５は、監視サーバ２で実行されている人物検出部９１による解析処理結果である「検出された人物の幅（ピクセル）」を取得し、かかる「人物の幅」を解析サーバ２の解析制御部２５に通知する。
【００８３】
続いて、監視サーバ２の解析制御部２５は、上述したように通知を受けた「監視状態のであることの確信度」と、解析状況情報である「ＣＰＵ負荷」及び「人物の幅」に基づいて、解析処理条件ＤＢ２６に従って、解析処理動作の制御を行う制御対象と制御内容を特定する。そして、解析制御部２５は、特定した制御対象となる解析部を停止するなど、監視サーバ２による解析処理にかかる負荷を軽減する制御を行う。
【００８４】
例えば、図１５の２段目（Ｄ２１）に示す条件に合致する場合には、服装抽出部９２を停止する、という制御を行う。このケースでは、監視者４が映像データを監視している可能性が高く、かつ、ＣＰＵ負荷が高いため、人間による監視の方が迅速かつ高精度であると考えられる服装抽出部９２による解析処理を監視者４に任せ、監視サーバ２の処理負荷を軽減する。図１５の３段目（Ｄ２２）に示す条件に合致する場合には、服装抽出部９２による解析処理のうち、色抽出を実行するが、模様抽出は停止する、というように、当該服装抽出部９２におけるパラメータを変更する制御を行う。このケースでは、監視者４が映像データを監視している可能性がやや高く、かつ、ＣＰＵ負荷が高いため、服装抽出部９２による解析処理の一部を監視者４に任せ、監視サーバ２の処理負荷を軽減する。図１５の４段目（Ｄ２３）に示す条件に合致する場合には、服装抽出部９２による解析処理を遅延させて実行する、という制御を行う。このケースでは、監視者４が映像データを監視している可能性がさほど高くはないが、ＣＰＵ負荷が高いため、服装抽出部９２による解析処理を後に行うこととして、現時点における監視サーバ２の処理負荷を軽減する。
【００８５】
そして、上述した制御に加えて、図１５の５段目（Ｄ２４）に示す条件に合致する場合には、不審行動検出部９３を停止する、という制御を行う。このケースでは、監視者４が映像データを監視している可能性が高く、かつ、映像データ内の人物が大きく映っているため、人間による監視の方が迅速かつ高精度であると考えられる不審行動検出部９３による解析処理を監視者４に任せ、監視サーバ２の処理負荷を軽減する。
【００８６】
＜実施形態４＞
次に、本発明の第４の実施形態を、図１６乃至図１７を参照して説明する。図１６は、解析システムの構成を説明するための図であり、図１７は、解析システムの動作を説明するための図である。
【００８７】
本実施形態における解析システムは、上述した第１の実施形態で説明したものとほぼ同様の構成をとるが、入力データが監視者４による監視対象となっているか否かを判定する方法が異なる。以下、上述した実施形態１と異なる構成及び動作を主に説明する。
【００８８】
まず、本実施形態における解析システムにおける監視端末３が備える表示部３４は、上述同様であり、監視者４による映像データの監視を支援するための監視装置として機能している。そして、監視端末３の表示制御部３２及び監視対象判定部３１は、表示部３４の状態を検出して、検出結果に基づいて、映像データが監視者４による監視対象となっているか否かを判定する機能を有する。
【００８９】
具体的に、まず、表示制御部３２は、表示部３４に監視カメラ１からの映像データが表示出力されているか否かを検出し、表示出力されている映像データを特定する情報を監視対象判定部３１に通知する（図１７のステップＳ４１）。あるいは、表示制御部３２は、表示部３４に監視カメラ１からの映像データが予め設定された表示状態で表示出力されているか否かを検出し、かかる表示状態で表示出力されている映像データを特定する情報を監視対象判定部３１に通知する。
【００９０】
そして、監視対象判定部３１は、表示制御部３２から映像データを特定する情報の通知を受けると、当該映像データが監視者４による監視対象となっていると判定する（図１７のステップＳ４２）。監視対象判定部３１は、かかる判定結果、つまり、監視者４による監視対象となっている映像データを特定する情報を、監視サーバ２の解析制御部２５に通知する。そして、監視サーバ２は、特定の映像データが監視対象となっている旨の通知を受けると、解析制御条件ＤＢ２６に登録されている内容に従って、通知された映像データの解析処理にかかる負荷を軽減させるよう制御する（図１７のステップＳ４３）。
【００９１】
なお、表示部３４に表示出力されている映像データは、上述したように監視者４によって選択されたものであってもよく、あるいは、他の設定や他の条件により自動的に選択されたものであってもよい。例えば、複数の映像データが解析対象となっている場合に、一定の時間間隔で自動的に映像データを切り替えて表示するよう設定されている場合には、その時点で表示部３４に表示されている映像データのみが監視者４による監視対象となっていると判定される。また、図４を参照して説明したように、複数の映像データのうち、設定により一定の時間間隔で自動的に大きい表示状態とされた映像データが、その時点において監視者４による監視対象となっていると判定される。
【００９２】
また、本実施形態では、監視対象判定部３１は、検出した映像データの表示部３４に対する表示出力状態に応じて、当該映像データが監視者４による監視対象となっている確信度合を表す確信度を算出してもよい。例えば、映像データが出力されている時間や映像データの表示の大きさ、表示部３４の主電源のオンオフ状態などに基づいて、確信度を算出する。そして、監視対象判定部３１は、算出した確信度の値に応じて、映像データが監視者４による監視対象となっているか否かを判定する。
【００９３】
以上のように、本実施形態では、監視者４の動作に起因せず、表示部３４などの映像データといった入力データを出力する監視装置の状態を検出することで、監視者４による入力データの監視状態を判定している。
【００９４】
＜付記＞
上記実施形態の一部又は全部は、以下の付記のようにも記載されうる。以下、本発明における解析処理制御システム（図１８参照）、プログラム、解析処理制御方法の構成の概略を説明する。但し、本発明は、以下の構成に限定されない。
【００９５】
（付記１）
解析処理装置１１０による解析対象となる入力データに対する監視を行う人物の動作を検出し、当該検出した人物の動作に基づいて、前記入力データが前記人物による監視対象となっているか否かを判定する判定手段１０１と、
前記入力データが前記人物による監視対象となっていると判定した場合に、当該入力データに対する前記解析処理装置による解析処理の負荷を低減させるよう当該解析処理装置による解析処理動作を制御する解析処理制御手段１０２と、
を備えた、
解析処理制御システム１００。
【００９６】
（付記２）
付記１に記載の解析処理制御システムであって、
前記判定手段は、前記人物による前記入力データの選択動作を検出し、当該検出した選択動作に基づいて前記入力データが前記人物による監視対象となっているか否かを判定する、
解析処理制御システム。
【００９７】
（付記３）
付記２に記載の解析処理制御システムであって、
前記判定手段は、前記人物の選択動作により、映像データである前記入力データが前記人物により閲覧可能な特定の表示装置に表示されているか否かを検出し、前記入力データが前記人物による監視対象となっているか否かを判定する、
解析処理制御システム。
【００９８】
（付記４）
付記２に記載の解析処理制御システムであって、
前記判定手段は、前記人物の選択動作により、映像データである前記入力データが前記人物により閲覧可能な特定の表示装置に予め設定された表示状態で表示されているか否かを検出し、前記入力データが前記人物による監視対象となっているか否かを判定する、
解析処理制御システム。
【００９９】
（付記５）
付記１に記載の解析処理制御システムであって、
前記判定手段は、所定の出力装置から出力された状態の前記入力データに対する前記人物による監視動作を検出し、当該検出した監視動作に基づいて前記入力データが前記人物による監視対象となっているか否かを判定する、
解析処理制御システム。
【０１００】
（付記６）
付記５に記載の解析処理制御システムであって、
前記判定手段は、前記入力データが出力されている前記出力装置に対する前記人物の姿勢を当該人物の監視動作として検出し、当該検出した姿勢に基づいて前記入力データが前記人物による監視対象となっているか否かを判定する、
解析処理制御システム。
【０１０１】
（付記７）
付記５に記載の解析処理制御システムであって、
前記判定手段は、前記出力装置に表示出力されている映像データである前記入力データに対する前記人物の視線を当該人物の監視動作として検出し、当該検出した視線に基づいて前記入力データが前記人物による監視対象となっているか否かを判定する、
解析処理制御システム。
【０１０２】
（付記８）
付記１乃至７のいずれかに記載の解析処理制御システムであって、
前記判定手段は、検出した前記人物の動作に基づいて、前記入力データが前記人物による監視対象となっている確信度合を表す確信度を算出し、当該確信度に応じて前記入力データが前記人物による監視対象となっているか否かを判定する、
解析処理制御システム。
【０１０３】
（付記９）
解析処理装置による解析対象となる入力データに対する監視を行う人物による前記入力データに対する監視を支援する監視装置の状態を検出し、当該検出した監視装置の状態に基づいて、前記入力データが前記人物による監視対象となっているか否かを判定する判定手段と、
前記入力データが前記人物による監視対象となっていると判定した場合に、当該入力データに対する前記解析処理装置による解析処理の負荷を低減させるよう当該解析処理装置による解析処理動作を制御する解析処理制御手段と、
を備えた、
解析処理制御システム。
【０１０４】
（付記１０）
付記９に記載の解析処理制御システムであって、
前記判定手段は、映像データである前記入力データが前記人物により閲覧可能な前記監視装置である特定の表示装置に表示されているか否かを検出し、前記入力データが前記人物による監視対象となっているか否かを判定する、
解析処理制御システム。
【０１０５】
（付記１１）
付記９に記載の解析処理制御システムであって、
前記判定手段は、映像データである前記入力データが前記人物により閲覧可能な前記監視装置である特定の表示装置に予め設定された表示状態で表示されているか否かを検出し、前記入力データが前記人物による監視対象となっているか否かを判定する、
解析処理制御システム。
【０１０６】
（付記１２）
付記９乃至１１のいずれかに記載の解析処理制御システムであって、
前記判定手段は、検出した前記監視装置の状態に基づいて、前記入力データが前記人物による監視対象となっている確信度合を表す確信度を算出し、当該確信度に応じて前記入力データが前記人物による監視対象となっているか否かを判定する、
解析処理制御システム。
【０１０７】
（付記１３）
付記１乃至１２のいずれかに記載の解析処理制御システムであって、
前記解析処理装置による前記入力データに対する解析状況を表す解析状況情報を取得する解析状況情報取得手段を備え、
前記解析処理制御手段は、前記判定手段による前記入力データが前記人物による監視対象となっているか否かの判定結果と、前記解析状況情報取得手段によって取得した前記解析状況情報と、に基づいて、前記入力データに対する前記解析処理装置による解析処理の負荷を低減させるよう当該解析処理装置による解析処理動作を制御する、
解析処理制御システム。
【０１０８】
（付記１４）
付記１乃至１３のいずれかに記載の解析処理制御システムであって、
前記解析処理制御手段は、前記入力データに対する前記解析処理装置による解析処理を停止するよう制御する、
解析処理制御システム。
【０１０９】
（付記１５）
情報処理装置に、
解析処理装置による解析対象となる入力データに対する監視を行う人物の動作を検出し、当該検出した人物の動作に基づいて、前記入力データが前記人物による監視対象となっているか否かを判定する判定手段と、
前記入力データが前記人物による監視対象となっていると判定した場合に、当該入力データに対する前記解析処理装置による解析処理の負荷を低減させるよう当該解析処理装置による解析処理動作を制御する解析処理制御手段と、
を実現させるためのプログラム。
【０１１０】
（付記１６）
付記１５に記載のプログラムであって、
前記判定手段は、前記人物による前記入力データの選択動作を検出し、当該検出した選択動作に基づいて前記入力データが前記人物による監視対象となっているか否かを判定する、
プログラム。
【０１１１】
（付記１７）
付記１５に記載のプログラムであって、
前記判定手段は、所定の出力装置から出力された状態の前記入力データに対する前記人物による監視動作を検出し、当該検出した監視動作に基づいて前記入力データが前記人物による監視対象となっているか否かを判定する、
プログラム。
【０１１２】
（付記１８）
情報処理装置に、
解析処理装置による解析対象となる入力データに対する監視を行う人物による前記入力データに対する監視を支援する監視装置の状態を検出し、当該検出した監視装置の状態に基づいて、前記入力データが前記人物による監視対象となっているか否かを判定する判定手段と、
前記入力データが前記人物による監視対象となっていると判定した場合に、当該入力データに対する前記解析処理装置による解析処理の負荷を低減させるよう当該解析処理装置による解析処理動作を制御する解析処理制御手段と、
を実現させるためのプログラム。
【０１１３】
（付記１９）
解析処理装置による解析対象となる入力データに対する監視を行う人物の動作を検出し、当該検出した人物の動作に基づいて、前記入力データが前記人物による監視対象となっているか否かを判定し、
前記入力データが前記人物による監視対象となっていると判定した場合に、当該入力データに対する前記解析処理装置による解析処理の負荷を低減させるよう当該解析処理装置による解析処理動作を制御する、
解析処理制御方法。
【０１１４】
（付記２０）
付記１９に記載の解析処理制御方法であって、
前記人物による前記入力データの選択動作を検出し、当該検出した選択動作に基づいて前記入力データが前記人物による監視対象となっているか否かを判定する、
解析処理制御方法。
【０１１５】
（付記２１）
付記１９に記載の解析処理制御方法であって、
前記判定手段は、所定の出力装置から出力された状態の前記入力データに対する前記人物による監視動作を検出し、当該検出した監視動作に基づいて前記入力データが前記人物による監視対象となっているか否かを判定する、
解析処理制御方法。
【０１１６】
（付記２２）
解析処理装置による解析対象となる入力データに対する監視を行う人物による前記入力データに対する監視を支援する監視装置の状態を検出し、当該検出した監視装置の状態に基づいて、前記入力データが前記人物による監視対象となっているか否かを判定し、
前記入力データが前記人物による監視対象となっていると判定した場合に、当該入力データに対する前記解析処理装置による解析処理の負荷を低減させるよう当該解析処理装置による解析処理動作を制御する、
解析処理制御方法。
【０１１７】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【０１１８】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【０１１９】
１  監視カメラ
２  監視サーバ
２１  第１解析部
２２  第２解析部
２３  第ｎ解析部
２４  アラート生成部
２５  解析制御部
２６  解析制御条件ＤＢ
３  監視端末
３１  監視対象判定部
３２  表示制御部
３３  選択部
３４  表示部
３５  解析状況取得部
４  監視者
５  カメラ
【図１】
2014142696.tif 000003
【図２】
2014142696.tif 000004
【図３】
2014142696.tif 000005
【図４】
2014142696.tif 000006
【図５】
2014142696.tif 000007
【図６】
2014142696.tif 000008
【図７】
2014142696.tif 000009
【図８】
2014142696.tif 000010
【図９】
2014142696.tif 000011
【図１０】
2014142696.tif 000012
【図１１】
2014142696.tif 000013
【図１２】
2014142696.tif 000014
【図１３】
2014142696.tif 000015
【図１４】
2014142696.tif 000016
【図１５】
2014142696.tif 000017
【図１６】
2014142696.tif 000018
【図１７】
2014142696.tif 000019
【図１８】
2014142696.tif 000020